(57)【要約】      （修正有）【課題】外観上の見映えを良好することができるランプレンズを提供する。【解決手段】ランプレンズ１０は、レンズ２０と、レンズから突出し、レンズと一体形成されたフックを備えている。フック３０は、その先端にレンズ側からの入射光５０に対し臨界角以上に傾けられた傾斜面３２を備えている。フックは傾斜面からの光を受光する面を備え、受光面は反射処理または再帰性反射構造を有しており、フック部が暗がりとして目立つことをなくす。【選択図】図１
2010073410.tif 000002
【特許請求の範囲】
【請求項１】
レンズと、
前記レンズから突出し、該レンズと一体形成されたフックを備え、
前記フックは、その先端に前記レンズ側からの入射光に対し臨界角以上に傾けられた傾斜面を有することを特徴とするランプレンズ。
【請求項２】
前記フックは前記傾斜面からの光を受光する面を備え、前記受光面は反射処理されている請求項１記載のランプレンズ。
【請求項３】
前記フックは前記傾斜面からの光を受光する面を備え、前記受光面は再帰性反射構造を有する請求項１記載のランプレンズ。
【請求項４】
レンズと、
前記レンズから突出し、該レンズと一体形成されたフックを備え、
前記フックは、その先端に再帰性反射構造を有することを特徴とするランプレンズ。
【発明の詳細な説明】
【技術分野】
【０００１】
本発明はランプレンズに関し、特に、固定用のフックを備えたランプレンズに関する。
【背景技術】
【０００２】
従来、ヘッドランプやテールランプ等に使用される車両用灯具は、例えば、ハウジングと、ハウジングに配置された光源と、ハウジングに配置され光源の光を反射するリフレクタと、ハウジングの開口部を覆うランプレンズで構成されている。
【０００３】
ランプレンズには、レンズ面に対し略垂直に延びる、固定用のフックが一体的に設けられている。このフックと、対応する位置に設けられた穴部を係合することで、ランプレンズが固定される。
【０００４】
ところで、ランプレンズは、一般的に、光源の光が透過できるよう透過性樹脂で形成されている。そのため、ランプレンズに一体成形されたフックを通して、ハウジングの内部が意匠側から見えてしまい、外観上の見映えが劣るという問題があった。
【０００５】
この問題を解決するため、例えば、特許文献１では、シール溝とレンズ脚部間の凹凸係合部を外壁から露出しないようにしている。
【特許文献１】実開平６−６２４０６号公報
【発明の開示】
【発明が解決しようとする課題】
【０００６】
しかしながら、特許文献１の構造では、レンズ、シール部材とリムを利用してシール溝とレンズ脚部間の凹凸係合部を外壁から露出しないようにしているため、複雑な構造となっている。
【０００７】
本発明はこのような事情に鑑みてなされたもので、簡易な構成で、外観上の見映えを良好にすることができるランプレンズを提供することを目的する。
【課題を解決するための手段】
【０００８】
前記目的を達成するために、本発明のランプレンズは、レンズと、前記レンズから突出し、該レンズと一体形成されたフックを備え、前記フックは、その先端に前記レンズ側からの入射光に対し臨界角以上に傾けられた傾斜面を有することを特徴とする。
【０００９】
本発明によれば、フックの先端に臨界角以上に傾けられた傾斜面を備えているので、フックを通してハウジングの内部が見えるのを防止することができる。これにより、レンズの外観上の見映えを良好にすることができる。
【００１０】
本発明のランプレンズは、前記発明において、前記フックは前記傾斜面からの光を受光する面を備え、前記受光面は反射処理されていることが好ましい。
【００１１】
受光面に反射処理が施されているので、レンズ側から見た場合、周辺部と一体感のある外観上の見映えを実現することができる。
【００１２】
本発明のランプレンズは、前記発明において、前記フックは前記傾斜面からの光を受光する面を備え、前記受光面は再帰性反射構造を有することが好ましい。
【００１３】
受光面が再帰性反射構造を備えているので、レンズ側から見た場合、レンズ側より入射した外光が、再帰性反射構造によって全て反射されフック部より出射することにより、ハウジング内部が観察されることを防止するとともにフック部が暗がりとして観察されることを防ぐことが可能となる。このことによりレンズ側から見た時にフック部が暗がりとして目立つことなく、外観上良好な見映えを実現することができる。
【００１４】
前記目的を達成するために、本発明のランプレンズは、レンズと、前記レンズから突出し、該レンズと一体形成されたフックを備え、前記フックは、その先端に再帰性反射構造を有することを特徴とする。
【００１５】
本発明によれば、フックの先端に再帰性反射構造を備えているので、フックを通してハウジングの内部が見えるのを防止することができる。これにより、レンズの外観上の見映えを良好にすることができる。本発明によれば、受光面が再帰性反射構造を備えているのと同様の効果を得ることができる。
【発明の効果】
【００１６】
本発明によれば、ランプレンズに一体形成されたフックの先端に全反射面、又は再帰性反射構造を設けることで、フックを通して内部が見えるのを防止し、外観上の見映えを良好にすることができる。
【発明を実施するための最良の形態】
【００１７】
以下添付図面に従って本発明の好ましい実施の形態について説明する。本発明は以下の好ましい実施の形態により説明されるが、本発明の範囲を逸脱すること無く、多くの手法により変更を行なうことができ、本実施形態以外の他の実施の形態を利用することができる。従って、本発明の範囲内における全ての変更が特許請求の範囲に含まれる。
【００１８】
〔第１の実施形態〕
図１は、本発明を適用したランプレンズの斜視図を示している。図１（ａ）に示すように、ランプレンズ１０は、レンズ２０と、レンズ２０から突出しレンズ２０と一体形成されたフック３０を備えている。ランプレンズ１０は、ポリカーボネート樹脂、アクリル樹脂等の光透過性の樹脂材料で構成されている。本実施の形態において、レンズ２０は、光源からの光を透過する前面レンズと、前面レンズから折り曲げられた部分を備えている。フック３０は、その折り曲げれらた部分から突出している。
【００１９】
フック３０は、その先端にレンズ２０側からの入射光に対し臨界角以上に傾けられた、鏡面仕上げの傾斜面３２を備えている。さらに、傾斜面３２で反射された光を受光する受光面３４を備えている。
【００２０】
レンズ２０に示される領域４０は、フック３０の断面をレンズ２０上に投影するまでの領域を示している。領域４０が、フック３０を通してレンズ２０側から視認される領域となる。
【００２１】
次に、図１（ａ）及び（ｂ）を参照に、ランプレンズ１０の機能について説明する。図１（ｂ）は、ランプレンズのフック３０の拡大図を示している。
【００２２】
レンズ２０上の領域４０を通して、入射光５０がフック３０の傾斜面３２に照射される。傾斜面３２は鏡面仕上げされている。傾斜面３２は、入射光５０に対して、その入射角αが臨界角以上となるよう傾けられている。これにより、入射光５０が傾斜面３２で全反射され、上方に導かれる。傾斜面３２で反射された光が、傾斜面３２で反射された光５０に対して、その入射角αが臨界角となるように傾けられている受光面３４に反射される。それにより、受光面３４がフック３０を通してレンズ２０上の領域４０で視認される。
【００２３】
このように、フック３０の先端に、入射光５０を全反射する傾斜面３２、３４を設けることで、フック３０を通して内部が見られないようにすることができる。
【００２４】
領域４０での見映えをさらに良好にするため、受光面３４に対して、レンズカット及びアルミ蒸着などの反射処理や、シボ加工を施すことが好ましい。反射処理を施すことで反射方向の制御が容易になる。また、シボ加工を施すことで、乱反射により明るく見せることが可能となる。
【００２５】
反射処理を施すことで、周辺部と一体感のある見映えのランプレンズを得ることができる。
【００２６】
〔第２の実施形態〕
本発明の第２の実施形態を、図２を参照して説明する。図２はランプレンズのフック３０の拡大図を示している。なお、第１の実施形態に示したランプレンズと同様の構成には同一符号を付して説明を省略する場合がある。
【００２７】
図２に示すように、フック３０は、その先端にレンズ２０側からの入射光に対し臨界角以上に傾けられた、鏡面仕上げの傾斜面３２を備えている。さらに、傾斜面３２で反射された光を受光する受光面３４を備えている。
【００２８】
本実施の形態では、受光面３４に再帰性反射構造３４ａを設けている。レンズ側から入射光５０がフック３０の傾斜面３２に照射される。傾斜面３２は鏡面仕上げされている。傾斜面３２は、入射光５０に対して、入射角αが臨界角以上となるよう傾けられている。これにより、入射光５０が傾斜面３２で全反射され、再帰性反射構造３４ａを備えた受光面３４に導かれる。再帰性反射構造３４ａは直角三角錐形状を備えた構造である。入射光５０は、再帰性反射構造３４ａにおいて内面で３回反射され、入射時と同一の方向に反射される。
【００２９】
再帰性反射構造３４ａを設けることで、レンズ側より入射した外光が、再帰性反射構造によって全て反射されフック部より出射することにより、ハウジング内部が観察されることを防止するとともにフック部が暗がりとして観察されることを防ぐことが可能となる。このことによりレンズ側から見た時にフック部が暗がりとして目立つことなく、外観上良好な見映えを実現することができる。
【００３０】
再帰性反射構造３４ａは、例えば、電鋳などにより反転型を作製することで、容易に形成することができる。
【００３１】
〔第３の実施形態〕
本発明の第３の実施形態を、図３を参照して説明する。図３はランプレンズのフック３０の拡大図を示している。なお、第１および第２の実施形態に示したランプレンズと同様の構成には同一符号を付して説明を省略する場合がある。
【００３２】
図３に示すように、フック３０は、その先端に、入射光５０に対して、入射角と同一の方向に全反射する再帰性反射面３６を備えている。
【００３３】
再帰性反射面３６は直角三角錐形状を複数備えている。入射光５０は、再帰性反射面３６において内面で３回反射され、入射時と同一の方向に反射される。
【００３４】
再帰性反射面３６をフック３０の先端に設けることで、レンズ側より入射した外光が、再帰性反射構造によって全て反射されフック部より出射することにより、ハウジング内部が観察されることを防止するとともにフック部が暗がりとして観察されることを防ぐことが可能となる。このことによりレンズ側から見た時にフック部が暗がりとして目立つことなく、外観上良好な見映えを実現することができる。
【００３５】
再帰性反射面３６は、例えば、電鋳などにより反転型を作製することで、容易に形成することができる。
【００３６】
本発明は上記実施例に限定されるものではなく、上記の説明に基づいて多くの変形例が可能となる。
【図面の簡単な説明】
【００３７】
【図１】本発明の第１の実施形態に係るランプレンズを
【図２】第２の実施形態に係るランプレンズのフックの拡大図
【図３】第３の実施形態に係るランプレンズのフックの拡大図
【符号の説明】
【００３８】
１０…ランプレンズ、２０…レンズ、３０…フック、３２…傾斜面、３４…受光面、３６…再帰性反射面、４０…領域、５０…入射光
【図１】
2010073410.tif 000003
【図２】
2010073410.tif 000004
【図３】
2010073410.tif 000005